(57)【要約】【課題】液晶モニタの画質を、簡易な処理で精度良く調整することが可能な液晶モニタの画質調整装置を提供する。【解決手段】  液晶モニタの画質調整装置は、カメラ装置３１と、表示設定調整器３２とを備える。カメラ装置３１は、目標とする画質に調整されて所定の表示情報が表示された第１液晶モニタ１１と、前記表示情報が表示された画質調整処理対象の第２液晶モニタ２１とを同時に撮影する。表示設定調整器３２は、カメラ装置３１で撮影された第２液晶モニタ２１の撮像情報部分内の所定位置の輝度データおよび色データが、第１液晶モニタ１１の撮像情報部分内の対応する位置の輝度データおよび色データと同等レベルになるように、第２液晶モニタ２１の表示設定を調整する。【選択図】図１
2018124490.tif 000002
【特許請求の範囲】
【請求項１】
目標とする画質に調整されて所定の表示情報が表示された第１液晶モニタと、前記表示情報が表示された画質調整処理対象の第２液晶モニタとを同時に撮影するカメラ装置と、
前記カメラ装置で撮影された前記第２液晶モニタの撮像情報部分内の所定位置の輝度データおよび色データが、前記第１液晶モニタの撮像情報部分内の対応する位置の輝度データおよび色データと同等レベルになるように、前記第２液晶モニタの表示設定を調整する表示設定調整器と
を備えることを特徴とする液晶モニタの画質調整装置。
【請求項２】
前記表示設定調整器は、
前記第１液晶モニタおよび前記第２液晶モニタに同一のグレースケール情報が表示されたときに、前記カメラ装置により撮影された前記第２液晶モニタの撮像情報部分内のグレースケール情報の各階調に該当する位置の輝度データが、前記第１液晶モニタの撮像情報部分内の対応する位置の輝度データと同等レベルになるように、前記第２液晶モニタの輝度に関する設定を調整する輝度設定調整部と、
前記第１液晶モニタおよび前記第２液晶モニタに同一のカラースケール情報が表示されたときに、前記カメラ装置により撮影された前記第２液晶モニタの撮像情報部分内のカラースケール情報の各色票に該当する位置の色データが、前記第１液晶モニタの撮像情報部分内の対応する位置の色データと同等レベルになるように、前記第２液晶モニタの色再現に関する設定を調整する色再現設定調整部と
を有することを特徴とする請求項１に記載の液晶モニタの画質調整装置。
【請求項３】
前記カメラ装置は、撮影により生成した撮像情報をデフォーカスしてモアレが発生しない状態にして前記表示設定調整器に送出する
ことを特徴とする請求項１または２に記載の液晶モニタの画質調整装置。
【請求項４】
目標とする画質に調整されて所定の表示情報が表示された第１液晶モニタと、前記表示情報が表示された画質調整処理対象の第２液晶モニタとを同時に撮影し、
撮影により得られた前記第２液晶モニタの撮像情報部分内の所定位置の輝度データおよび色データが、前記第１液晶モニタの撮像情報部分内の対応する位置の輝度データおよび色データと同等レベルになるように、前記第２液晶モニタの表示設定を調整する
ことを特徴とする液晶モニタの画質調整方法。
【発明の詳細な説明】
【技術分野】
【０００１】
本発明は、液晶モニタの画質調整装置および画質調整方法に関する。
【背景技術】
【０００２】
従来、液晶モニタの製造過程において、表示状態に関する輝度および色再現に関わる設定をそれぞれ予め定められたレベルに調整することで、画質を揃えて製品を量産している。
【０００３】
ところが、液晶モニタは、上述したような輝度および色再現に関わる設定を同レベルに調整しても、バックライトの分光特性等により、実際に表示されたときの見え方が製品ごとに異なる場合がある。そこで、製造対象の製品の表示時における輝度および色再現に関わる設定を、所望の画質に設定された既製品の表示状態に合わせるように微調整することで、精度良く画質の揃った製品を生産することができる。
【先行技術文献】
【特許文献】
【０００４】
【特許文献１】特開２０１２−８４９５５号公報
【発明の概要】
【発明が解決しようとする課題】
【０００５】
しかし、製造対象の液晶モニタの画質を、所望の既製品の液晶モニタに合わせるように調整するには、輝度計および色彩色差計による計測結果を用いて処理を実行しなければならず、手間やコストがかかるという問題があった。
【０００６】
よって本発明は、液晶モニタの画質を、簡易な処理で精度良く調整することが可能な液晶モニタの画質調整装置および画質調整方法を提供することを目的とする。
【課題を解決するための手段】
【０００７】
上記目的を達成するための本発明の液晶モニタの画質調整装置は、目標とする画質に調整されて所定の表示情報が表示された第１液晶モニタと、前記表示情報が表示された画質調整処理対象の第２液晶モニタとを同時に撮影するカメラ装置と、前記カメラ装置で撮影された前記第２液晶モニタの撮像情報部分内の所定位置の輝度データおよび色データが、前記第１液晶モニタの撮像情報部分内の対応する位置の輝度データおよび色データと同等レベルになるように、前記第２液晶モニタの表示設定を調整する表示設定調整器とを備えることを特徴とする。
【０００８】
また、本発明の画質調整方法は、目標とする画質に調整されて所定の表示情報が表示された第１液晶モニタと、前記表示情報が表示された画質調整処理対象の第２液晶モニタとを同時に撮影し、撮影により得られた前記第２液晶モニタの撮像情報部分内の所定位置の輝度データおよび色データが、前記第１液晶モニタの撮像情報部分内の対応する位置の輝度データおよび色データと同等レベルになるように、前記第２液晶モニタの表示設定を調整することを特徴とする。
【発明の効果】
【０００９】
本発明の液晶モニタの画質調整装置および画質調整方法によれば、液晶モニタの画質を、簡易な処理で精度良く調整することができる。
【図面の簡単な説明】
【００１０】
【図１】本発明の一実施形態による液晶モニタの画質調整装置を用いた画質調整システムの構成を示す全体図である。
【図２】本発明の一実施形態による液晶モニタの画質調整装置を用いた画質調整システムで実行される輝度調整処理の手順を示すフローチャートである。
【図３】本発明の一実施形態による液晶モニタの画質調整装置において、撮像情報内のグレースケール情報から輝度データを取得する位置を示す説明図である。
【図４】本発明の一実施形態による液晶モニタの画質調整装置で実行される、液晶モニタの輝度に関する設定の調整処理の手順を示すフローチャートである。
【図５】本発明の一実施形態による液晶モニタの画質調整装置を用いた画質調整システムで実行される色再現調整処理の手順を示すフローチャートである。
【図６】本発明の一実施形態による液晶モニタの画質調整装置において、撮像情報内のカラースケール情報から色データを取得する位置を示す説明図である。
【図７】本発明の一実施形態による液晶モニタの画質調整装置で実行される、液晶モニタの色再現に関する設定の調整処理の手順を示すフローチャートである。
【発明を実施するための形態】
【００１１】
本発明の一実施形態として、カメラ装置に搭載された液晶モニタを、所望の画質に調整する画質調整装置について、以下に説明する。
【００１２】
〈一実施形態による液晶モニタの画質調整装置を用いた画質調整システムの構成〉
本実施形態による液晶モニタの画質調整装置を用いた画質調整システムの構成について、図１を参照して説明する。本実施形態による画質調整システム１は、目標とする画質に既設定された第１液晶モニタ１１を有する第１カメラ装置１０と、画質調整処理対象の第２液晶モニタ２１を有する第２カメラ装置２０と、第２カメラ装置２０に接続された画質調整装置３０とを備える。
【００１３】
第１カメラ装置１０は、第１液晶モニタ１１と、第１レンズ１２と、第１撮像素子１３と、第１メモリ１４と、第１画像処理部１５とを有する。第1レンズ１２は、複数枚のレンズで構成されていてもよい。
【００１４】
第１液晶モニタ１１は、表示対象の情報を、設定されたレベルの輝度、色相、彩度、および明度で表示する。第１撮像素子１３は、第１レンズ１２から入射された被写体の光学像を電気信号に変換し、撮像情報として第１画像処理部１５に送出する。
【００１５】
第１メモリ１４は、画質調整処理のためのテスト画像情報として、黒から白までの段階的な階調ごとの複数の領域が配列されたグレースケール情報、および予め設定された複数の色調の色票が配列されたカラースケール情報を記憶する。本実施形態において第１メモリ１４に記憶されるグレースケール情報は１０段階の階調ごとの領域で構成され、また、カラースケール情報は白色を除く６色の色票で構成されている。
【００１６】
第１画像処理部１５は、画質調整処理中は、第１メモリ１４に記憶されたグレースケール情報またはカラースケール情報を第１液晶モニタ１１に表示させる。また、第１画像処理部１５は、撮影処理中は、第１撮像素子１３から取得された撮像情報を第１液晶モニタ１１に表示させる。
【００１７】
第２カメラ装置２０も同様に、第１カメラ装置１０の各機能部と同様の機能を有する第２液晶モニタ２１と、第２レンズ２２と、第２撮像素子２３と、第２メモリ２４と、第２画像処理部２５とを有する。第２レンズ２２も、複数枚のレンズで構成されていてもよい。第２画像処理部２５は、第１画像処理部１５と同様の機能を有するとともに、画質調整装置３０からの指示に基づいて第２液晶モニタ２１の輝度および色再現に関する設定を調整する機能を有する。
【００１８】
画質調整装置３０は、第１液晶モニタ１１と第２液晶モニタ２１とを同じ画角内で撮影するように設置された第３カメラ装置３１と、第３カメラ装置３１および第２カメラ装置２０に接続された表示設定調整器３２とを有する。
【００１９】
第３カメラ装置３１は、第３レンズ３１１と、第３撮像素子３１２と、第３画像処理部３１３とを有する。第３レンズ３１１は、複数枚のレンズで構成されていてもよい。第３撮像素子３１２は、第３レンズ３１１から入射された、第１液晶モニタ１１および第２液晶モニタ２１を被写体とする光学像を所定時間間隔で電気信号に変換し、撮像情報として第３画像処理部３１３に送出する。ここで、液晶モニタを撮影した撮像情報にはモアレが発生することがあるため、第３画像処理部３１３は、第３撮像素子３１２から取得された撮像情報をデフォーカスして、モアレが発生しない状態にして表示設定調整器３２に送出するのが好ましい。
【００２０】
表示設定調整器３２は、輝度設定調整部３２１と、色再現設定調整部３２２とを有する。輝度設定調整部３２１は、第１液晶モニタ１１および第２液晶モニタ２１に同一のグレースケール情報が表示されているときに、第３カメラ装置３１の第３画像処理部３１３から取得した撮像情報内の第１液晶モニタ１１の撮像情報部分および第２液晶モニタ２１の撮像情報部分それぞれから、グレースケール情報の各階調の領域に該当する位置の輝度データを取得する。
【００２１】
そして、輝度設定調整部３２１は、第２液晶モニタ２１の撮像情報部分内のグレースケール情報の各階調の領域に該当する位置の輝度データが、第１液晶モニタ１１の撮像情報部分内の対応する各位置の輝度データと同等レベルになるように、第２液晶モニタ２１の表示設定項目の中の輝度に関する設定を調整する指示を、第２カメラ装置２０に送信する。ここで、輝度データが同等レベルにある状態とは、第１液晶モニタ１１の撮像情報部分内のグレースケール情報の所定の階調の領域に該当する位置の輝度データと、第２液晶モニタ２１の撮像情報部分内の対応する位置の輝度データとが、予め設定されたレベル範囲内にあることをいう。
【００２２】
色再現設定調整部３２２は、第１液晶モニタ１１および第２液晶モニタ２１に同一のカラースケール情報が表示されているときに、第３カメラ装置３１の第３画像処理部３１３から取得した撮像情報内の第１液晶モニタ１１の撮像情報部分および第２液晶モニタ２１の撮像情報部分それぞれから、カラースケール情報の各色票に該当する位置の色データを取得する。
【００２３】
そして、色再現設定調整部３２２は、第２液晶モニタ２１の撮像情報部分内のカラースケール情報の各色票に該当する位置の色データが、第１液晶モニタ１１の撮像情報部分内の対応する位置の色データと同等レベルになるように、第２液晶モニタ２１の表示設定項目の中の色再現に関する設定を調整する指示を、第２カメラ装置２０に送信する。ここで、色データが同等レベルにある状態とは、第１液晶モニタ１１の撮像情報部分内のカラースケール情報の色票に該当する位置の色データから取得される色相、彩度、および明度と、第２液晶モニタ２１の撮像情報部分内の対応する位置の色データから取得される色相、彩度、および明度とがそれぞれ、予め設定されたレベル範囲内にあることをいう。
【００２４】
〈一実施形態による液晶モニタの画質調整システムの動作〉
次に、本実施形態による液晶モニタの画質調整システム１で画質調整処理が実行されるときの動作について説明する。画質調整システム１では、輝度調整処理および色再現調整処理の２段階で画質調整処理が実行される。
【００２５】
まず、最初に実行される輝度調整処理について、図２のフローチャートを参照して説明する。輝度調整処理が開始されると、第１カメラ装置１０において、第１画像処理部１５により第１メモリ１４からグレースケール情報が読み出され、第１液晶モニタ１１に表示される。また、第２カメラ装置２０において、第２画像処理部２５により第２メモリ２４からグレースケール情報が読み出され、第２液晶モニタ２１に表示される（Ｓ１）。
【００２６】
次に、画質調整装置３０の第３カメラ装置３１により、グレースケール情報が表示された第１液晶モニタ１１および第２液晶モニタ２１が同じ画角内で同時に撮影される。第３カメラ装置３１では、撮影により第３レンズ３１１から入射された光学像が第３撮像素子３１２で電気信号に変換され、第３画像処理部３１３で撮像情報が取得される。第３画像処理部３１３で取得された撮像情報は、表示設定調整器３２に送出される（Ｓ２）。
【００２７】
表示設定調整器３２では、取得された撮像情報内の第１液晶モニタ１１の撮像情報部分および第２液晶モニタ２１の撮像情報部分それぞれから、グレースケール情報の各階調の領域に該当する位置の輝度データが取得される（Ｓ３）。本実施形態においては、図３に示すように、第１液晶モニタ１１の撮像情報部分Ａから、グレースケール情報の１０個の階調の領域に該当する位置ａ1〜ａ10の１０個の輝度データがそれぞれ取得されるとともに、第２液晶モニタ２１の撮像情報部分Ｂから、位置ａ1〜ａ10に対応する位置ｂ1〜ｂ10の１０個の輝度データがそれぞれ取得される。
【００２８】
そして、取得された第１液晶モニタ１１および第２液晶モニタ２１に関する各階調の領域の輝度データに基づいて、表示設定調整器３２により、第２液晶モニタ２１の輝度に関する設定が調整される（Ｓ４）。表示設定調整器３２で実行される、第２液晶モニタ２１の輝度に関する設定の調整処理について、図４のフローチャートを参照して説明する。
【００２９】
まず、取得された輝度データのうち、第２液晶モニタ２１のグレースケール情報端部にある白色の領域に該当する位置ｂ1の輝度データが、第１液晶モニタ１１のグレースケール情報の対応する位置ａ1の輝度データと同等レベルになるように、第２液晶モニタ２１全体のゲインを調整する指示が第２カメラ装置２０に送信される（Ｓ４１）。第２カメラ装置２０では、表示設定調整器３２から送信された指示に基づいて、第２画像処理部２５により第２液晶モニタ２１全体のゲイン調整が行われる。
【００３０】
次に、第１液晶モニタ１１のグレースケール情報の白色を除く９階調の領域に該当する位置ａ2〜ａ10の輝度データと、第２液晶モニタ２１のグレースケール情報の対応する位置ｂ1〜ｂ10の輝度データとが、すべて同等レベルであるか否かが判定される（Ｓ４２）。判定の結果、輝度データが同等レベルでない階調があるときには、すべての階調の領域の輝度データが同等レベルになるように、第２液晶モニタ２１のガンマを調整する指示が第２カメラ装置２０に送信される（Ｓ４３）。第２カメラ装置２０では、表示設定調整器３２から送信された指示に基づいて、第２画像処理部２５により第２液晶モニタ２１のガンマ調整が行われる。
【００３１】
ステップＳ４２において、第２液晶モニタ２１のグレースケール情報と第１液晶モニタ１１のグレースケール情報とに関し、すべての階調の領域に該当する位置の輝度データが同等レベルであると判定されたときには（Ｓ４２の「YES」）、ガンマ調整は行われない。
【００３２】
上述したように、画質調整システム１では、輝度調整処理が実行された後、色再現調整処理が実行される。色再現調整処理について、図５のフローチャートを参照して説明する。
【００３３】
色再現調整処理が開始されると、第１カメラ装置１０において第１画像処理部１５により第１メモリ１４からカラースケール情報が読み出され、第１液晶モニタ１１に表示される。また、第２カメラ装置２０において、第２画像処理部２５により第２メモリ２４からカラースケール情報が読み出され、第２液晶モニタ２１に表示される（Ｓ５）。
【００３４】
次に、画質調整装置３０の第３カメラ装置３１により、カラースケール情報が表示された第１液晶モニタ１１および第２液晶モニタ２１が同じ画角内で同時に撮影される。第３カメラ装置３１では、撮影により第３レンズ３１１から入射された光学像が第３撮像素子３１２で電気信号に変換され、第３画像処理部３１３で撮像情報が取得される。第３画像処理部３１３で取得された撮像情報は、表示設定調整器３２に送出される（Ｓ６）。
【００３５】
表示設定調整器３２では、取得された撮像情報内の第１液晶モニタ１１の撮像情報部分および第２液晶モニタ２１の撮像情報部分それぞれから、カラースケール情報の各色票に該当する位置の色データとして、ＲＧＢデータが取得される（Ｓ７）。本実施形態においては、図６に示すように、第１液晶モニタ１１の撮像情報部分Ｃから、カラースケール情報の白色を除く６色（例えば、赤、緑、青、黄、シアン、マゼンダの６色）の色票に該当する位置ｃ1〜ｃ6のＲＧＢデータがそれぞれ取得されるとともに、第２液晶モニタ２１の撮像情報部分Ｄから、位置ｃ1〜ｃ6に対応する位置ｄ1〜ｄ6の６個のＲＧＢデータがそれぞれ取得される。
【００３６】
そして、取得された第１液晶モニタ１１および第２液晶モニタ２１の撮像情報部分内の各色の色票位置のＲＧＢデータに基づいて、表示設定調整器３２により、第２液晶モニタ２１の色再現に関する設定が調整される（Ｓ８）。表示設定調整器３２による第２液晶モニタ２１の色再現に関する設定の調整処理について、図７のフローチャートを参照して説明する。
【００３７】
まず、取得されたＲＧＢデータがそれぞれＨＳＶデータに変換され、色データの要素として色相、彩度、および明度が取得される（Ｓ８１）。色相は、色相の総体を順序立てて円環にして並べた色相環における、赤を基準とした位置であり、0〜360°内の範囲で示される。また、彩度は、色の鮮やかさを示す尺度であり、0〜100％の範囲で示される。また、明度は、色の明るさを示す尺度であり、0〜100％の範囲で示される。
【００３８】
次に、取得された第１液晶モニタ１１の撮像情報部分内の各色の色票位置の色相、彩度、および明度が、第２液晶モニタ２１の撮像情報部分内の各色の色票位置の色相、彩度、および明度とそれぞれ同等レベルであるか否か判定される（Ｓ８２）。判定の結果、色相、彩度、および明度の中で同等レベルでない要素があるときには（Ｓ８２の「NO」）、ステップＳ８３の処理に移行する。
【００３９】
ステップＳ８３では、第１液晶モニタ１１と第２液晶モニタ２１との撮像情報部分内の各色の色相が同等レベルでなければ（Ｓ８３の「NO」）、第２液晶モニタ２１の撮像情報部分の各色の色相が第１液晶モニタ１１の撮像情報部分の対応する各色の色相と同等レベルになるように、第２液晶モニタ２１の各色の色相の設定を調整し、ステップＳ８５の処理に移行する（Ｓ８４）。６色の色相がすべて同等レベルであれば、ステップＳ８４の色相の設定の調整は行われず、ステップＳ８５の処理に移行する。
【００４０】
ステップＳ８５では、第１液晶モニタ１１と第２液晶モニタ２１との撮像情報部分内の各色の彩度が同等レベルでなければ（Ｓ８５の「NO」）、第２液晶モニタ２１の撮像情報部分の各色の彩度が第１液晶モニタ１１の撮像情報部分の対応する各色の彩度と同等レベルになるように、第２液晶モニタ２１の各色の彩度の設定を調整し、ステップＳ８７の処理に移行する（Ｓ８６）。６色の色相がすべて同等レベルであれば、ステップＳ８６の彩度の設定の調整は行われず、ステップＳ８７の処理に移行する。
【００４１】
ステップＳ８７では、第１液晶モニタ１１と第２液晶モニタ２１との撮像情報部分内の各色の明度が同等レベルでなければ（Ｓ８７の「NO」）、第２液晶モニタ２１の撮像情報部分の各色の明度が第１液晶モニタ１１の撮像情報部分の対応する各色の明度と同等レベルになるように、第２液晶モニタ２１の各色の明度の設定を調整する（Ｓ８８）。６色の色相がすべて同等レベルであれば、ステップＳ８８の明度の設定の調整は行われない。以上の処理により、色再現調整処理が終了し、すべての画質調整処理が終了する。
【００４２】
以上の実施形態によれば、液晶モニタの画質調整を、輝度計や色彩色差計等の画質に関わるデータを計測する専用機器を用いることなく、簡易な構成で精度良く実行することができる。
【００４３】
上述した実施形態においては、１０階調の色票で構成されたグレースケール情報、および６色の色票で構成されたカラースケール情報をテスト画像情報として用いて、画質調整処理を行う場合について説明したが、色票の数はこれには限定されない。グレースケール情報、カラースケール情報ともに、さらに多くの色票で構成されたものを用いて、各色票位置の輝度および色再現を調整することにより、より精度の高い画質調整を行うことができる。
【符号の説明】
【００４４】
１  画質調整システム
１０  第１カメラ装置
１１  第１液晶モニタ
１２  第１レンズ
１３  第１撮像素子
１４  第１メモリ
１５  第１画像処理部
２０  第２カメラ装置
２１  第２液晶モニタ
２２  第２レンズ
２３  第２撮像素子
２４  第２メモリ
２５  第２画像処理部
３０  画質調整装置
３１  第３カメラ装置
３２  表示設定調整器
３１１  第３レンズ
３１２  第３撮像素子
３１３  第３画像処理部
３２１  輝度設定調整部
３２２  色再現設定調整部
【図１】
2018124490.tif 000003
【図２】
2018124490.tif 000004
【図３】
2018124490.tif 000005
【図４】
2018124490.tif 000006
【図５】
2018124490.tif 000007
【図６】
2018124490.tif 000008
【図７】
2018124490.tif 000009